(57)【特許請求の範囲】
【請求項１】
脚支柱の下端側にキャスタを備えた脚であって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、下端側の配線出入口の開口付近に、配線溝内の配線を脚支柱の長手方向と異なる方向に案内する傾斜若しくは湾曲したガイド部を設けたことを特徴とする脚。
【請求項２】
ガイド部の傾斜方向もしくは開口端における接線方向が、キャスタの首振りに必要な動作空間と交わらないように設定している請求項１に記載の脚。
【請求項３】
配線溝内における溝幅方向の中央部に、支柱本体の長手方向に沿って延びる縦リブを形成している請求項１又は２に記載の脚。
【請求項４】
脚支柱の下端側にキャスタを備えた脚であって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、配線溝内における溝幅方向の中央部に、支柱本体の長手方向に沿って延びる縦リブを形成したことを特徴とする脚。
【請求項５】
支柱本体の長手方向に沿った間欠位置に当該長手方向と交叉する横リブを設け、この横リブの一部を切り欠いて配線溝の溝底を形成している請求項３又は４に記載の脚。
【請求項６】
脚支柱の下端側にキャスタを備えた脚であって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、配線溝およびカバーを下に向かって先細り形状にし、装着後にカバーを配線溝に対して下方に微動させることによって、カバーの側縁と支柱本体の対応する開口縁とを密着させ得るようにしたことを特徴とする脚。
【請求項７】
支柱本体に被係り合い部を設定する一方、カバーを前記配線溝を塞ぐ方向に押圧することによって前記被係り合い部に係り合う係り合い部を具備してなるものにし、前記カバーに前記押圧方向と逆方向の引き剥がし力が作用することによって、前記係り合い部と前記被係り合い部との係り合い状態が解除されるように構成している請求項１〜６の何れかに記載の脚。
【請求項８】
支柱本体の配線溝の上下端部とカバーの長手方向の上下端部との間に配線出入口を形成している請求項７記載の脚。
【請求項９】
少なくとも下端側の配線出入口が、配線溝の端部とカバーの長手方向の端部との間に略円形状に形成されている請求項８記載の脚。
【請求項１０】
係り合い部が、カバーの左右の縁部から配線溝に向かって延びる弾性爪であるとともに、被係り合い部が前記配線溝の内面における左右対応位置に設けた凹所であり、前記左右の弾性爪が互いに相離れる方向の弾性力によって前記凹所に係り合り、互いに相寄る方向の弾性変形によって前記凹所との係り合いを解除するように構成している請求項７〜９の何れかに記載の脚。
【請求項１１】
カバーの係り合い部を利用し、カバーを支柱本体に装着する前の状態で配線をカバーの側縁から側方に食み出すことを規制する規制部を構成している請求項７〜１０の何れかに記載の脚。
【請求項１２】
請求項１〜１１の何れかに記載の脚を３本以上備えることによって天板を支持してなることを特徴とする天板付き家具。
【発明の詳細な説明】
【技術分野】
【０００１】
本発明は、脚内配線構造を有した脚及びこれを利用した天板付き家具に関するものである。
【背景技術】
【０００２】
天板付き家具における配線処理を適切に行うために、脚支柱の内部に配線溝を設けたものが知られている。
【０００３】
例えば、特許文献１は、脚支柱の上端面と下端部にキャップを設け、そのキャップ間に配線溝を開口させるとともに、配線溝にカバーを着脱できるようにしたテーブルの固定脚の構成を示している。
【０００４】
また、特許文献２は、脚支柱をアジャスタで高さ調整可能に支持し、そのアジャスタに向かって脚支柱に設けた配線溝に挿通した配線を引き出せるようにしたテーブルの固定脚の構成を示している。
【先行技術文献】
【特許文献】
【０００５】
【特許文献１】実開平５−８６２３５号公報
【特許文献２】特開２００６−１０２１２０号公報
【発明の概要】
【発明が解決しようとする課題】
【０００６】
ところで、脚支柱の下端部にキャスタを備えて移動可能としたテーブル等の天板付き家具においても、配線処理の便を向上させることが有効である点で事情は同じである。
【０００７】
しかしながら、このようなキャスタ付きの脚支柱に配線を通すためには、従来の構造を持つ脚とは異なる事情がある。例えば、脚に配線を通したままで天板付き家具を移動すると、キャスタと配線が絡まってスムーズな移動ができないばかりか、断線する恐れがある。また、配線溝が配線を引っ張ってしまうことにより、天板上に置かれて配線と接続されたＰＣなどの電気・電子機器が床に落下したり、やはり配線溝によって配線が断線してしまうなどの危険性がある。よって、キャスタ付きの脚支柱を用いて配線溝を備えるには、上記従来の配線溝を備えた脚支柱にはない工夫が必要である。
【０００８】
本発明は、このような課題を解決する構造の脚およびこれを利用した天板付き家具を提供することを目的とする。
【課題を解決するための手段】
【０００９】
本発明は、かかる目的を達成するために、次のような手段を講じたものである。
【００１０】
すなわち、本願における第１の発明の脚内配線構造を有する脚は、脚支柱の下端側にキャスタを備えたものであって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、下端側の配線出入口の開口付近に、配線溝内の配線を脚支柱の長手方向と異なる方向に案内する傾斜若しくは湾曲したガイド部を設けたことを特徴とする。
【００１１】
このように、キャスタを備えた脚において、キャスタ取付部の上方に配線溝を設け、その配線溝の上端部と下端部とに配線出入口を開口させれば、キャスタの邪魔にならないように配線を引き回すことができる。さらに、下端側の配線出入口の開口付近に、配線溝内の配線を脚支柱の長手方向と異なる方向に案内する傾斜若しくは湾曲したガイド部を設けていることから、配線がキャスタに向かわないようにガイドすることもできる。
【００１２】
配線に対してより適切なガイドをなすためには、ガイド部の傾斜方向もしくは開口端における接線方向が、キャスタの首振りに必要な動作空間と交わらないように設定していることが望ましい。
【００１３】
また、脚支柱の強度向上とともに、内部の配線整理のためには、配線溝内における溝幅方向の中央部に、支柱本体の長手方向に沿って延びる縦リブを形成していることが好ましい。
【００１４】
本願における第２の発明の脚内配線構造を有する脚は、脚支柱の下端側にキャスタを備えたものであって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、配線溝内における溝幅方向の中央部に、支柱本体の長手方向に沿って延びる縦リブを形成したことを特徴とする。このように、キャスタを備えた脚において、キャスタ取付部の上方に配線溝を設け、その配線溝の上端部と下端部とに配線出入口を開口させれば、キャスタの邪魔にならないように配線を引き回すことができる。さらに、配線溝内における溝幅方向の中央部に、支柱本体の長手方向に沿って延びる縦リブを形成していることから、脚支柱の強度向上とともに、内部の配線整理を行うことができる。
【００１５】
配線機能を損なうことなく、脚支柱の更なる強度向上を図るためには、支柱本体の長手方向に沿った間欠位置に当該長手方向と交叉する横リブを設け、この横リブの一部を切り欠いて配線溝の溝底を形成していることが望ましい。
【００１６】
本願における第３の発明の脚内配線構造を有する脚は、脚支柱の下端側にキャスタを備えたものであって、前記脚支柱は、下端部にキャスタ取付部を有した支柱本体と、この支柱本体のうち前記キャスタ取付部から所定距離上方へ変位した位置より始まって当該支柱本体の上端部にまで延びる配線溝と、当該配線溝に対して着脱可能なカバーとを具備し、前記キャスタ取付部にキャスタを取り付けるとともに、前記支柱本体にカバーを装着した状態で前記配線溝の上端部と下端部にそれぞれ配線出入口を開口させてなり、配線溝およびカバーを下に向かって先細り形状にし、装着後にカバーを配線溝に対して下方に微動させることによって、カバーの側縁と支柱本体の対応する開口縁とを密着させ得るようにしたことを特徴とする。このように、キャスタを備えた脚において、キャスタ取付部の上方に配線溝を設け、その配線溝の上端部と下端部とに配線出入口を開口させれば、キャスタの邪魔にならないように配線を引き回すことができる。さらに、配線溝およびカバーを下に向かって先細り形状にし、装着後にカバーを配線溝に対して下方に微動させることによって、カバーの側縁と支柱本体の対応する開口縁とを密着させ得るようにしていることから、カバー装着状態で端正な外観を確保することができる。
【００１７】
配線処理の便を有効に向上させるためには、支柱本体に被係り合い部を設定する一方、カバーを前記配線溝を塞ぐ方向に押圧することによって前記被係り合い部に係り合う係り合い部を具備してなるものにし、前記カバーに前記押圧方向と逆方向の引き剥がし力が作用することによって、前記係り合い部と前記被係り合い部との係り合い状態が解除されるように構成することが効果的である。
【００１８】
配線を有効に収納するとともに、カバーの引き剥がしを簡単にし、かつ配線にストレスが掛かることを防止するためには、支柱本体の配線溝の上下端部とカバーの長手方向の上下端部との間に配線出入口を形成していることが有効である。
【００１９】
配線の導出入方向によらず、配線にストレスが掛かることを防止するためには、少なくとも下端側の配線出入口が、配線溝の端部とカバーの長手方向の端部との間に略円形状に形成されていることも好都合である。
【００２０】
左右の弾性爪の間に配線空間を確保しつつ、カバーと配線溝との具体的な脱着構造を有効に実現するためには、係り合い部が、カバーの左右の縁部から配線溝に向かって延びる弾性爪であるとともに、被係り合い部が前記配線溝の内面における左右対応位置に設けた凹所であり、前記左右の弾性爪が互いに相離れる方向の弾性力によって前記凹所に係り合り、互いに相寄る方向の弾性変形によって前記凹所との係り合いを解除するように構成していることが有効である。
【００２１】
カバーに配線を引っかけた状態のままで、配線がカバーから食み出さない状態で配線溝に取付けるためには、カバーの係り合い部を利用し、カバーを支柱本体に装着する前の状態で配線をカバーの側縁から側方に食み出すことを規制する規制部を構成していることが適当である。
【００２２】
そして、上記の脚３本以上で天板を支持することにより天板付き家具を構成すれば、当該天板付き家具が基本的に天板と脚のみの簡易な構造であっても、配線機能を有効に付与することができる。
【発明の効果】
【００２３】
本発明は、以上説明した構成であるから、キャスタ取付部の上方に配線溝を設け、その配線溝の上端部と下端部とに配線出入口を開口させたので、キャスタの邪魔にならないように配線を引き回すことができる。その結果、脚に配線を通したままで天板付き家具を移動するような場合に、キャスタと配線が絡まることがなくなる。また、配線が引っ張られることで、天板上に置かれたＰＣなどの電気・電子機器が床に落下したり、配線が断線するなどの危険性も低減することができる。
【図面の簡単な説明】
【００２４】
【図１】本発明の一実施形態に係る脚を適用した天板付き家具の全体斜視図。
【図２】同実施形態に係るカバーと脚支柱の関係を示す斜視図。
【図３】同実施形態における配線溝とキャスタとの関係を示す一部破断した側面図
【図４】同実施形態の配線溝内における縦リブと横リブの関係を示す断面図
【図５】同実施形態における弾性爪と凹所との係わり合い構造を示す部分拡大図。
【図６】同実施形態においてカバーを装着した状態の脚を示す斜視図。
【図７】同脚を構成するキャスタとキャスタ取付部の関係を示す部分拡大斜視図。
【図８】同実施形態における脚受けブラケットを示す斜視図。
【図９】同実施形態においてカバーの取付時に裏側に配線を収めた状態を示す斜視図。
【図１０】同実施形態において配線を配線溝に収めてカバーを装着した状態を示す斜視図。
【図１１】同実施形態において配線装着時にカバーをスライドさせる様子を示す説明図。
【図１２】同実施形態において、配線が引っかかることによって脚からカバーが引き剥がされる様子を示す斜視図。
【図１３】本発明の他の実施形態を示す図３に対応した図。
【図１４】本発明の更に他の実施形態を示す図４に対応した図。
【図１５】本発明の上記以外の変形例を示す図。
【図１６】本発明の更に上記以外の変形例を示す図。
【発明を実施するための形態】
【００２５】
以下、本発明の一実施形態を、図面を参照して説明する。
【００２６】
この実施形態の脚内配線構造を有する脚Ｂは、図１に示すように、天板Ａの四隅下面を支持する位置に計４本配置されて、テーブル等の天板付き家具Ｔを構成する。
【００２７】
天板Ａの四隅下面には脚受けブラケットＡ１を備えてあり、各脚Ｂはこの脚受けブラケットＡ１に固定されている。
【００２８】
各脚Ｂは、図２〜図７に示すように、脚支柱１と、カバー２と、キャスタ３とによって構成される。
【００２９】
脚支柱１は、図２（ａ）に示されるように、アルミダイキャスト製の支柱本体１１を主体として構成されるもので、支柱本体１１は、全体が鉛直下方に向かって略先細り形状をなし、脚支柱１の下端部１ｂにキャスタ取付部１１ｂが設定されるとともに、さらに脚支柱１の上端部１ａには、配線溝１２側にやや食み出した状態で脚受けブラケット取付部１１ｅが設けられている。そして、脚内配線構造を実現すべく、配線溝１２を形成している。
【００３０】
配線溝１２は、キャスタ取付部１１ｂから所定距離上方へ変位した位置Ｑより始まって支柱本体１１の上端部１１ａの位置Ｐまで延び、上方から下方に向かって先細り形状をなしているもので、支柱本体１１の中身をえぐる状態で設けられている。
【００３１】
また、図３に示すように、配線溝１２の下端部１２ｂ付近に、配線空間１２ｘの配線Ｘを脚支柱１の長手方向と異なる方向に案内する傾斜したガイド部１２１が設けられている。このガイド部１２１の傾斜方向Ｃはキャスタ２の首振り動作に必要な空間Ｙと交わらないように設定してあり、開口端は略半円状をなしているものである。
【００３２】
そして、配線溝１２における溝幅方向の中央には、図４に示すように、縦リブ１２２が縦断しており、支柱本体１１の長手方向に沿った間欠位置には、縦リブ１２２と交叉する横リブ１２３が横断している。横リブ１２３は、配線空間１２ｘが開口している側の縁部の一部を切り欠くことで、溝底１２３ａの上方にまで配線空間１２ｘが確保してある。この場合、配線空間１２ｘは、縦リブ１２２の両側に二分され、配線Ｘの棲み分けが可能とされている。
【００３３】
また、支柱本体１１の左右の側縁１１ｃ、１１ｄにおける内面１２ｙには、長手方向に沿った間欠位置に、被係り合い部である凹所１２４が矩形状に設けられている。より具体的には、配線溝１２の上下端部近傍にそれぞれ１箇所と、配線溝１２の長手方向中間部に２箇所の計４箇所に凹所１２４が設けられている。脚支柱１の成型時における型抜きの方向がカバー２を着脱する方向であるとすると、凹所１２４を設けるためにはスライド型を使う必要があるのが通例であるが、本実施形態では縦リブ１２２の高さを凹所１２４よりも内奥に在るように抑え、配線空間１２ｘ内に凹所１２４を切削するための回転刃の挿入しろを確保している。
【００３４】
一方、カバー２は、図２（ｂ）に示されるように、配線溝１２に沿って延び、全体が下方に向かって先細り形状をなす樹脂成型体で、カバー２の中央には、カバーリブ２１が長手方向に縦断しており、カバー２の上下端部２２ａ、２２ｂはカバー中央に向かって略半円状にえぐった形状をなしている。そして、カバー２の側縁２ａ、２ｂから、係り合い部たる弾性爪２４が、支柱本体１１の側縁１１ｃ、１１ｄに向かって突出しており、前記凹所１２４と係り合うように構成されている。
【００３５】
図５（ａ）に示すように、凹所１２４と係り合う弾性爪２４の爪部２４ａは、凹所１２４の内壁１２４ａに対してやや傾斜している。そして、カバー２を配線溝１２へ装着する場合には、図５（ｃ）→（ｂ）→（ａ）の順番で弾性爪２４が一時的に相寄る方向に弾性変形した後に復元して爪部２４ａが内壁１２４ａに沿うように凹所１２４と係り合い、カバー２を配線溝１２から引き剥がす場合には、今度は逆に図５（ａ）→（ｂ）→（ｃ）の順番で弾性爪２４が一時的に相寄る方向に弾性変形して爪部２４ａが内壁１２４ａから離脱することで弾性爪２４と凹所１２４との係り合い状態を解除される。本実施形態で、凹所１２４の上下寸法は弾性爪２４の上下寸法よりも若干大きく設定してある。
【００３６】
このような左右の弾性爪２４、２４の間も、図４（ｂ）に示すカバー２の閉止状態で配線空間Ｚとしての利用が可能とされている。この弾性爪２４は、カバー２を支柱本体１１に装着する前の図９に示す状態で配線Ｘをカバー２の側縁２ａ、２ｂから側方に食み出すことを規制する規制部２５としての役割も果たしている。
【００３７】
カバー２を配線溝１２へ装着後には、図６に示すように、配線溝１２の上下端部１２ａ、１２ｂとカバーの上下端部２２ａ、２２ｂとが対向する位置に配線出入口４、５が構成される。特に、下端側の配線出入口５は、図中矢印Ｖで示す水平方向からみて略円形状をなしている。
【００３８】
キャスタ３は、図３や図７に示すように、キャスタ本体３１と、車輪３２と、キャスタ取付軸３３とによって構成され、脚支柱１のキャスタ取付部１１ｂに取り付けられる。
【００３９】
キャスタ取付部１１ｂは、下端に開口するシリンダ１１ｆを備え、そのシリンダ１１ｆ内においてキャスタ取付軸３３に圧縮される位置にバネ１１eが組み込んであり、没入位置と突出位置の間でキャスタ３にダンパー作用を営ませることができる。キャスタ３はキャスタ取付軸３３を回転中心として回動可能である。
【００４０】
図８に示すように、脚受けブラケットＡ１の裏面における配線出入口４の近傍には、釣り針状のフック６がネジ６１によって取付けられており、このフック６に配線出入口４から引き出した配線Ｘを引っかけることで、配線Ｘの整理整頓の便を確保している。
【００４１】
次に、本実施形態の使用状態を説明する。図９に示すように、使用者が、図示しない指手で配線Ｘをカバー２の裏面２ｃに当てつつ、カバー２の上下端部２２ａ、２２ｂから配線Ｘを引き出した状態に当該カバー２を摘んで、配線溝１２の開口に嵌め合わせ、図１０に矢印Ｗで示すように配線溝１２に向かってカバー２を押圧する。このとき、図４（ａ）→（ｂ）に示すように弾性爪２４と凹所１２４が係り合う。過剰な押し込みに対しては、カバーリブ２１が支柱本体１１の縦リブ１２２に突き当たってそれ以上の押し込みが規制され、カバー２の損傷や不当な嵌め合い状態が回避される。そして、前述のように凹所１２４の上下寸法は弾性爪２４の上下寸法よりも若干大きく設定してあるため、仮に凹所１２４内のやや上側に嵌り合っても、そのままカバー２を配線溝１２に対して下方に微動させることで、図１１（ａ）→（ｂ）に示すように、カバーの側縁２ａ、２ｂと対応する配線溝１２の開口縁１２ｃ、１２ｄとが密着する。この状態で、図１０に示すように、カバー２の長さ分だけ配線Ｘを隠蔽し得る。
【００４２】
そして、図１や図１２に示すように、例えば配線Ｘを電源ケーブルとすると、配線Ｘの先端にある電源コネクタＸ１が壁Ｄに設けられたコンセント差し込み口Ｄ１に接続された状態で使用者が天板付き家具Ｔを移動させようとした場合、配線Ｘがカバー２の配線出入口５に引っかかり、配線Ｘが、前述の押圧方向とは逆方向の引き剥がし力Ｆがカバー２の下端部２２ｂに対して作用することで、カバー２が配線溝１２から外れるようになる。特に、弾性爪２４と凹所１２４とによる係り合い部の一つがカバー２の下端部２２ｂの近傍にあり、その係り合い構造からしても、カバー２の剥離は比較的容易になされることになる。勿論、配線出入口５に指を挿し込んでカバー２の下端部２２ｂを手前に引いても、カバー２の剥離を容易に行うことができる。これらの事情は、カバー２の上端部２２ａ側においてもほぼ同様である。
【００４３】
以上のように、本実施形態の脚Ｂは、脚支柱１の下端側にキャスタ３を備えたものであり、前記脚支柱１は、下端部１ａにキャスタ取付部１１ｂを有した支柱本体１１と、この支柱本体１１のうち前記キャスタ取付部１１ｂから所定距離上方へ変位した位置Ｑより始まって当該支柱本体１１の上端部１１ｂの位置Ｐにまで延びる配線溝１２と、当該配線溝１２に対して着脱可能なカバー２とを具備し、前記キャスタ取付部１１ｂにキャスタ３を取り付けるとともに、前記支柱本体１１にカバー２を装着した状態で前記配線溝１２の上端部１２ａと下端部１２ｂにそれぞれ配線出入口４、５を開口させたので、キャスタ２の邪魔にならないように配線Ｘを引き回すことができる。
【００４４】
この場合、下端側の配線出入口５の開口付近に、配線溝内１２ｘの配線Ｘを脚支柱１の長手方向と異なる方向に案内する傾斜したガイド部１２１を設けているので、配線Ｘがキャスタ２に向かわないようにガイドすることができる。
【００４５】
特に、ガイド部１２１の傾斜方向Ｃが、キャスタ３の首振りに必要な動作空間Ｙと交わらないように設定しているために、配線Ｘに対してより適切なガイドをなすことができる。
【００４６】
また、支柱本体１１に被係り合い部たる凹所１２４を設定する一方、カバー２を前記配線溝１２を塞ぐ方向に押圧することによって前記凹所１２４に係り合う係り合い部たる弾性爪２４を具備してなるものにし、前記カバー２に前記押圧方向とは逆方向の引き剥がし力Ｆが作用することによって、前記弾性爪２４が前記凹所１２４との係り合い状態が解除されるように構成しているので、カバー２を支柱本体１１に対して簡単に脱着することができ、配線処理の便を有効に向上させることができる。
【００４７】
加えて、支柱本体１１の配線溝１２の上下端部１２ａ、１２ｂとカバー２の長手方向の上下端部２２ａ、２２ｂとの間に配線出入口４、５を形成しているので、脚Ｂのほぼ全体に亘って配線Ｘを収納することができるとともに、配線出入口４、５に指を掛けることによって簡単にカバー２を引き剥がすことができる。また、仮に配線溝内１２ｘの配線Ｘが配線出入口５等から引き出されて壁ＤのコンセントＤ１等に接続された状態のままで天板付き家具Ｔを移動させようとしても、配線Ｘに一定以上の力が加わったときにカバー２が引き剥がされるため、配線Ｘにストレスが掛かることを防止して、損傷や破損から有効に保護することができる。これは、配線出入口４から引き出された配線が天板Ａ上に置かれたＰＣに接続されている状態でＰＣが引きずられた場合等にも同様である。
【００４８】
また、少なくとも下端側の配線出入口５が、配線溝１２の下端部１２ｂとカバー２の長手方向の下端部２２ｂとの間が略円形状に形成されているために、配線Ｘの導出入方向が様々な方位に対してなされても、配線Ｘにストレスが掛かることを防止することができる。
【００４９】
係り合い構造としては、弾性爪２４がカバー２の左右の縁部２ａ、２ｂより配線溝１２に向かって延びる一方、凹所１２４が前記配線溝１２の内面における左右対応位置にあり、左右の弾性爪２４が互いに相離れる方向の弾性力によって凹所１２４に係り合り、互いに相寄る方向の弾性変形によって凹所１２４との係り合いを解除するように構成しているので、左右の弾性爪２４の間に配線空間Ｚを確保しつつ、カバー２と配線溝１２との具体的な脱着構造を有効に実現することができる。
【００５０】
そして、カバー２の弾性爪２４を利用し、カバー２を支柱本体１１に装着する前の状態で配線Ｘをカバー２の側縁２ａ、２ｂから側方に食み出すことを規制する規制部２５を構成しているために、カバー２に配線Ｘを引っかけた状態のままで、配線Ｘがカバー２から食み出さない状態で配線溝１２に取付けることができる。
【００５１】
また、配線溝内１２ｘにおける溝幅方向の中央部に、支柱本体１１の長手方向に沿って延びる縦リブ１２２を形成しているので、脚支柱１の強度向上とともに、図４に想像線で示すように縦リブ１２２の左右に配線Ｘの棲み分けが可能となる。特に、縦リブ１２２の素材が導電性のものであれば、棲み分けされた各配線空間１２ｘに電力線と通信線をそれぞれ通すことで、両者の電磁的な干渉を避けることにも利用できる。
【００５２】
さらに、支柱本体１１の長手方向に沿った間欠位置に当該長手方向と交叉する横リブ１２３を設け、この横リブ１２３の一部を切り欠いて配線溝１２の溝底１２３ａを形成しているので、配線機能を損なうことなく、脚支柱１の更なる強度向上を図ることができる。
【００５３】
加えて、配線溝１２およびカバー２を下に向かって先細り形状にし、装着後にカバー２を配線溝１２に対して下方に微動させることによって、カバー２の側縁２ａ、２ｂと支柱本体１１の対応する開口縁１１ａ、１１ｂとを密着させ得るようにしているので、カバー２の装着状態で端正な外観を確保することができる。しかも、カバー２を所定取付位置よりもやや上方で配線溝１２に嵌め合わせ、そこから下方にスライドさせることでカバー２の縁部２ａ、２ｂが配線溝１２の開口縁１２ｃ、１２ｄに密着するので、最初から密着状態で装着する場合に比して、装着作業やその逆の剥離作業もより一層簡単となる。
【００５４】
とりわけ、本実施形態の脚Ｂにはキャスタ３がダンパ作用を営むように昇降可能に設けてあるため、配線Ｘを適切に誘導することでキャスタ本体３１の上端部と脚支柱１の下端部１ｂとの間で配線Ｘを挟み込むおそれも有効に低減することができる。
【００５５】
そして、上記の脚Ｂを４本用いて天板Ａを支持することにより天板付き家具Ｔを構成しているので、天板付き家具Ｔが基本的に天板Ａと脚Ｂのみの簡易な構造であっても配線機能を有効に付与することができる。
【００５６】
なお、各部の具体的な構成は、上述した実施形態のみに限定されるものではなく、本発明の趣旨を逸脱しない範囲で種々変形が可能である。
【００５７】
例えば、図３に示したように上記実施形態ではガイド部１２１を傾斜して構成していたが、図１３に示すように、ガイド部１２１ｚを湾曲した形状に構成し、開口端１２１ａにおける接線方向Ｄがキャスタ２の首振り動作に必要な空間Ｙと交わらないように設定する構成が考えられる。
【００５８】
また、上記実施形態では、被係り合い部たる凹所１２４を支柱本体１１の側縁１１ｃ、１１ｄに設け、さらに係り合い部たる弾性爪２４をカバー２の側縁２ａ、２ｂに設ける構成としたが、図１４（ａ）に示すように、縦リブ１２２の左右両側で、かつ支柱本体１１の長手方向に沿った間欠位置に被係り合い部たる凹所１２６を設け、さらにカバーリブ２１の長手方向に沿った間欠位置に、係り合い部たる弾性爪２６を設けた構成としても良い。
【００５９】
また、図１４（ｂ）に示すように、縦リブ１２２の左右両側で、かつ支柱本体１１の長手方向に沿った間欠位置に被係り合い部たる弾性爪１２７を設け、カバーリブ３１の長手方向に沿った間欠位置に係り合い部たる凹所２７を設ける構成も考えられる。
【００６０】
さらに、脚に配線を通さない場合には、配線出入口４、５を塞ぐ配線蓋を設ける構成があっても構わない。
【００６１】
また、上記実施形態の配線溝１２は、支柱本体１１のうちキャスタ取付部１１ｂから所定距離上方へ変位した位置Ｑより始まって当該支柱本体１１の上端部１１ｂの位置Ｐにまで延びており、支柱本体１１にカバー２を装着した状態で当該カバー２の上端部２２ａ及び下端部２２ｂと配線溝１２の上端部１２ａ及び下端部１２ｂとの間にそれぞれ配線出入口４、５が開口するものであったが、例えば図１５に示すように、支柱本体１１にカバー２を装着するか否かによらず、配線溝１２の下端部１２ｂに配線出入口５が常時開口するものであってもよい。配線溝１２の上端部においても同様である。
【００６２】
さらにまた、上記実施形態の配線溝１２は、支柱本体１１のうちキャスタ取付部１１ｂから所定距離上方へ変位した位置Ｑより始まって当該支柱本体１１の上端部１１ｂの位置Ｐにまで延びており、支柱本体１１にカバー２を装着した状態で配線溝１２の上端部１２ａと下端部１２ｂにそれぞれ配線出入口４、５が鉛直方向に対して角度をもった方向に開口するものであったが、図１６に示すように、配線溝１２が支柱本体１１の上端部１１ｂに貫通し、支柱本体１１にカバー２を装着した状態で配線溝１２の上端部１２ａに配線出入口４が鉛直方向に開口するように構成することもできる。このようにすれば、配線Ｘを天板上に無理なく引き出すことが可能できるようになる。
【００６３】
その他の構成も、本発明の趣旨を逸脱しない範囲で種々変形が可能である。
【符号の説明】
【００６４】
１…脚支柱
１ａ…上端部
２…カバー
２ａ、２ｂ…側縁
３…キャスタ
４、５…配線出入口
１１…支柱本体
１１ｂ…キャスタ取付部
１２…配線溝
１２ａ、１２ｂ…上下端部
２２ａ、２２ｂ…カバーの長手方向の上下端部
２４…係り合い部（弾性爪）
２５…規制部
１２１…ガイド部
１２１ａ…開口端
１２２…縦リブ
１２３…横リブ
１２３ａ…溝底
１２４…被係り合い部（凹所）
Ａ…天板
Ｂ…脚
Ｃ…傾斜方向
Ｄ…接線方向
Ｆ…引き剥がし力
Ｔ…天板付き家具
Ｘ…配線
Ｙ…キャスタの首振りに必要な動作空間
Ｚ…配線空間
【図１】
0005510919.tif 000002
【図２】
0005510919.tif 000003
【図３】
0005510919.tif 000004
【図４】
0005510919.tif 000005
【図５】
0005510919.tif 000006
【図６】
0005510919.tif 000007
【図７】
0005510919.tif 000008
【図８】
0005510919.tif 000009
【図９】
0005510919.tif 000010
【図１０】
0005510919.tif 000011
【図１１】
0005510919.tif 000012
【図１２】
0005510919.tif 000013
【図１３】
0005510919.tif 000014
【図１４】
0005510919.tif 000015
【図１５】
0005510919.tif 000016
【図１６】
0005510919.tif 000017